(57)【要約】【課題】  原稿の最新画像をプリントすることが可能となり、便利な複写機を提供すること。【解決手段】  本発明では、プリントした際の元画像を保存し、アドレスを割り当てることで後にアドレスを参照した際に、コピーではなくその元画像をプリント出来る複写機において、そのファイルの更新を可能とし、さらに履歴も管理する事で、その原稿の最新画像や履歴をプリントが可能となり便利な複写機を提供出来る。【選択図】  図７
2006217028.tif 000002
【特許請求の範囲】
【請求項１】
原稿上から情報を読み取れるか否かを判断する判断手段と、
上記判断手段により読み取れると判断した際に、原稿からアドレス情報を読み取るアドレス読み取り手段と、
前記アドレスから画像履歴情報を取得する履歴情報取得手段と、
前記履歴情報取得手段により取得した履歴情報のうち少なくとも一つを選択する選択手段を持ち、
前記選択手段により選択した履歴の画像を前記アドレス読み取り手段により読み取ったアドレスから取得する画像取得手段を持ち、前記画像取得手段により取得した画像をプリントする画像形成装置。
【請求項２】
前記アドレスとはＩｐｖ６によるＩＰアドレスである事を特徴とする画像形成装置。
【発明の詳細な説明】
【技術分野】
【０００１】
本発明はプリント時にその元画像を履歴と共に記憶しておき、そのプリントをコピーする時に、その記憶した元画像を履歴を選択してプリントする複写機。
【背景技術】
【０００２】
従来、例えば設計図面などは、専用のバージョン管理ソフトが使われ（例えば特許文献１参照）、履歴の管理がされ、紙上に出したいと感じた時は、ユーザーはその管理ソフト上から呼び出し、プリントを行っていた。また、そのプリントをコピーして配布するという事は頻繁に行われていた。
【特許文献１】特開平５−２９８３７８
【発明の開示】
【発明が解決しようとする課題】
【０００３】
しかしながら、コピーを行った場合、出力してから情報が更新したか否かが分からないために、通常にコピーして配布されてしまうと問題が出てきてしまう場合があった。
【課題を解決するための手段】
【０００４】
そこで本発明ではそれらを解決するために、原稿上から情報を読み取れるか否かを判断する判断手段と、上記判断手段により読み取れると判断した際に、原稿からアドレス情報を読み取るアドレス読み取り手段と、前記アドレスから画像履歴情報を取得する履歴情報取得手段と、前記履歴情報取得手段により取得した履歴情報のうち少なくとも一つを選択する選択手段を持ち、前記選択手段により選択した履歴の画像を前記アドレス読み取り手段により読み取ったアドレスから取得する画像取得手段を持ち、前記画像取得手段により取得した画像をプリントする画像形成装置を提案する。
【発明の効果】
【０００５】
本発明では、プリントした際の元画像を保存し、アドレスを割り当てることで後にアドレスを参照した際に、コピーではなくその元画像をプリント出来る複写機において、そのファイルの更新を可能とし、さらに履歴も管理する事で、その原稿の最新画像や履歴をプリントが可能となり便利な複写機を提供出来る。
【発明を実施するための最良の形態】
【０００６】
図１は本発明を実施した画像形成装置の要部断面図である。本実施例の画像形成装置は電子写真方式とする。
【０００７】
２は画像読み取り部である。２０１は原稿積載台としてのプラテンガラスであり、２０４はスキャナであり、不図示の原稿照明ランプ、走査ミラー等で構成される。画像読み取り部２は画像取り込み処理が開始されると、２０４が所定方向に往復走査されて、原稿の反射光を走査ミラー２０４〜２０６を介してレンズ２０７を透過してイメージセンサ部２０８内のＣＣＤセンサに結像する。なお、製品では２上には、ＡＤＦ（自動原稿送り器）もしくは圧板カバーが乗せられる（不図示）。
【０００８】
また、画像読み取り部２には、μチップの情報を読み取る読み取り器２１０が付いており、原稿台ガラス上に置かれた原稿上のμチップの情報を読み取る事が可能となっている。
【０００９】
画像出力部１は大別して、画像形成部１０（４つのステーションａ、ｂ、ｃ、ｄが並設されており、その構成は同一である。）、給紙ユニット２０、中間転写ユニット３０、定着ユニット４０及び制御ユニット（不図示）から構成される。
【００１０】
さらに、個々のユニットについて詳しく説明する。画像形成部１０は次に述べるような構成になっている。像担持体としての感光ドラム１１ａ、１１ｂ、１１ｃ、１１ｄがその中心で軸支され、矢印方向に回転駆動される。感光ドラム１１ａ〜１１ｄの外周面に対向してその回転方向に一次帯電器１２ａ、１２ｂ、１２ｃ、１２ｄ、光学系１３ａ、１３ｂ、１３ｃ、１３ｄ、現像装置１４ａ、１４ｂ、１４ｃ、１４ｄが配置されている。一次帯電器１２ａ〜１２ｄにおいて感光ドラム１１ａ〜１１ｄの表面に均一な帯電量の電荷を与える。次いで光学系１３ａ〜１３ｄにより、記録画像信号に応じて変調した例えばレーザービームなどの光線を感光ドラム１１ａ〜１１ｄ上に露光させることによって、そこに静電潜像を形成する。さらに、イエロー、シアン、マゼンタ、ブラックといった４色の現像剤（トナー）をそれぞれ収納した現像装置１４ａ〜１４ｄによって上記静電潜像を顕像化する。顕像化された可視画像を中間転写体に転写する画像転写領域Ｔａ、Ｔｂ、Ｔｃ、Ｔｄの下流側では、クリーニング装置１５ａ、１５ｂ、１５ｃ、１５ｄにより転写材に転写されずに感光ドラム１１ａ〜１１ｄ上に残されたトナーを掻き落としてドラム表面の清掃を行う。以上に示したプロセスにより、各トナーによる画像形成が順次行われる。
【００１１】
給紙ユニット２０は，記録材Ｐを収納するためのカセット２１ａ・ｂおよび手差しトレイ２７、カセット内もしくは手差しトレイより記録材Ｐを一枚ずつ送り出すためのピックアップローラ２２ａ・ｂおよび２６、各ピックアップローラから送り出された記録材Ｐをレジストローラまで搬送するための給紙ローラ対２３及び給紙ガイド２４、そして画像形成部の画像形成タイミングに合わせて記録材Ｐを二次転写領域Ｔｅへ送り出すためのレジストローラ２５ａ、２５ｂから成る。
【００１２】
中間転写ユニット３０について詳細に説明する。中間転写ベルト３１（その材料として例えば、ＰＥＴ［ポリエチレンテレフタレート］やＰＶｄＦ［ポリフッ化ビニリデン］などが用いられる）は、中間転写ベルト３１に駆動を伝達する駆動ローラ３２、ばね（不図示）の付勢によって中間転写ベルト３１に適度な張力を与えるテンションローラ３３、ベルトを挟んで二次転写領域Ｔｅに対向する従動ローラ３４に巻回させる。これらのうち駆動ローラ３２とテンションローラ３３の間に一次転写平面Ａが形成される。駆動ローラ３２は金属ローラの表面に数ｍｍ厚のゴム（ウレタンまたはクロロプレン）をコーティングしてベルトとのスリップを防いでいる。駆動ローラ３２はパルスモータ（不図示）によって回転駆動される。各感光ドラム１１ａ〜１１ｄと中間転写ベルト３１が対向する一次転写領域Ｔａ〜Ｔｄには、中間転写ベルト３１の裏に一次転写ブレード３５ａ〜３５ｄが配置されている。従動ローラ３４に対向して二次転写ローラ３６が配置され、中間転写ベルト３１とのニップによって二次転写領域Ｔｅを形成する。二次転写ローラ３６は中間転写体に対して適度な圧力で加圧されている。また、中間転写ベルト上、二次転写領域Ｔｅの下流には中間転写ベルト３１の画像形成面をクリーニングするためのクリーニング装置５０が配され、前記クリーニング装置５０は、クリーナーブレード５１（材質としては、ポリウレタンゴムなどが用いられる）および廃トナーを収納する廃トナーボックス５２から成る。
【００１３】
定着ユニット４０は、内部にハロゲンヒーターなどの熱源を備えた定着ローラ４１ａとそのローラに加圧される４１ｂ（このローラにも熱源を備える場合もある）、及び上記ローラ対のニップ部へ転写材Ｐを導くためのガイド４３、また、上記ローラ対から排出されてきた転写材Ｐをさらに装置外部に導き出すための内排紙ローラ４４、外排紙ローラ４５などから成る。
【００１４】
制御ユニットは、上記各ユニット内の機構の動作を制御するための制御基板７０や、モータドライブ基板（不図示）などから成る。
【００１５】
次に装置の動作に即して説明を加える。画像形成動作開始信号が発せられると、まずピックアップローラ２２ａにより、カセット２１ａから転写材Ｐが一枚ずつ送り出される。そして給紙ローラ対２３によって転写材Ｐが給紙ガイド２４の間を案内されてレジストローラ２５ａ、２５ｂまで搬送される。その時レジストローラは停止されており、紙先端はニップ部に突き当たる。その後、画像形成部が画像の形成を開始するタイミングに合わせてレジストローラは回転を始める。この回転時期は、転写材Ｐと画像形成部より中間転写ベルト上に一次転写されたトナー画像とが二次転写領域Ｔｅにおいてちょうど一致するようにそのタイミングが設定されている。
【００１６】
一方画像形成部では、画像形成動作開始信号が発せられると、前述したプロセスにより中間転写ベルト３１の回転方向において一番上流にある感光ドラム１１ｄ上に形成されたトナー画像が、高電圧が印加された一次転写用帯電器３５ｄによって一次転写領域Ｔｄにおいて中間転写ベルト３１に一次転写される。一次転写されたトナー像は次の一次転写領域Ｔｃまで搬送される。そこでは各画像形成部間をトナー像が搬送される時間だけ遅延して画像形成が行われており、前画像の上にレジストを合わせて次のトナー像が転写される事になる。以下も同様の工程が繰り返され、結局４色のトナー像が中間転写ベルト３１上において一次転写される。
【００１７】
その後記録材Ｐが二次転写領域Ｔｅに進入、中間転写ベルト３１に接触すると、記録材Ｐの通過タイミングに合わせて二次転写ローラ３６に、高電圧を印加させる。そして前述したプロセスにより中間転写ベルト上に形成された４色のトナー画像が記録材Ｐの表面に転写される。その後記録材Ｐは搬送ガイド４３によって定着ローラニップ部まで正確に案内される。そしてローラ対４１Ａ、４１Ｂの熱及びニップの圧力によってトナー画像が紙表面に定着される。その後、内外排紙ローラ４４、４５により搬送され、紙は機外に排出される。また、画像出力部１はμチップ書き込み部８０を持ち、排紙直前に用紙上のμチップに情報を書き込む事が可能となっている。
【００１８】
図２は、図１のデジタル複写機内の制御ブロック図である。１７１は図１のデジタル複写機の基本制御を行うＣＰＵであり、制御プログラムが書き込まれたＲＯＭ１７４と処理を行うためのワークＲＡＭ１７５、入出力ポート１７３がアドレスバス、データバスにより接続されている。入出力ポート１７３には、図１のデジタル複写機を制御する、モータ、クラッチ等の各種負荷（不図示）や、紙の位置を検知するセンサ等の入力（不図示）が接続されている。ＣＰＵ１７１はＲＯＭ１７４の内容にしたがって入出力ポート１７３を介して順次入出力の制御を行い画像形成動作を実行する。又、ＣＰＵ１７１には操作部１７２が接続されており、操作部１７２の表示手段、キー入力手段を制御する。操作者はキー入力手段をとおして、画像形成動作モードや、スキャナ読み取りモード、プリント出力モードの表示の切り替えをＣＰＵ１７１に指示し、ＣＰＵ１７１は図１のデジタル複写機の状態や、キー入力による動作モード設定の表示を行う。ＣＰＵ１７１には、イメージセンサ部２０８で電気信号に変換された信号を処理する画像処理部１７０と、処理された画像を蓄積する画像メモリー部３が接続されている。
【００１９】
また、リーダ部２はμチップ読み取り部１１０と接続しており、読み取り部１１０を介してμチップの内容を読み取る事が可能である。また、プリント部１はμチップ書き込み部１２０と接続しており、書き込み部１２０を介してμチップに内容を書き込む事が可能である。
【００２０】
次に画像メモリー部３の詳細を図３に従って述べる。画像メモリー部３では、ＤＲＡＭ等のメモリーで構成されるページメモリー部３０１に、メモリーコントローラ部３０２を介して外部Ｉ／Ｆ処理部４、画像処理部１７０からの画像の書き込み、外部Ｉ／Ｆ処理部４、プリンター部２への画像読み出し、大容量の記憶装置であるハードディスク３０４への画像の入出力のアクセスを行う。メモリーコントローラ部３０２は、ページメモリー３０１のＤＲＡＭリフレッシュ信号の発生を行い、又、画像Ｉ／Ｆ処理部４、画像処理部１７０、ハードディスク３０４からのページメモリー３０１へのアクセスの調停を行う。更に、ＣＰＵ１７１の指示に従い、ページメモリー部３０１への書き込みアドレス、ページメモリー部３０１からの読み出しアドレス、読み出し方向などの制御をする。それにより、ＣＰＵ１７１はページメモリー部３０１に複数の原稿画像をならべてレイアウトを行い、プリンター部に出力する機能や、画像の一部分のみ切り出して出力する機能や、画像回転機能を制御する。
【００２１】
次に、図４に従って、外部Ｉ／Ｆ処理部４の構成を述べる。外部Ｉ／Ｆ処理部４は前述した様に、画像メモリー部３を介して、リーダ部の画像データを外部Ｉ／Ｆ処理部に取り込み、又、画像メモリー部３を介して、外部Ｉ／Ｆからの画像データをプリンター部２へ出力して画像形成を行う。外部Ｉ／Ｆ処理部４にはコア部４０６とファクシミリ部４０１、ファクシミリ部の通信画像データを保存するハードディスク４０２、外部コンピュータ４１１ならび外部コンピュータ４１０と接続するネットワークインターフェース部４０３と、フォーマッタ部４０４、イメージメモリー部４０５を有している。
【００２２】
ファクシミリ部４０１はモデム（不図示）を介して公衆回線と接続しており、公衆回線からのファクシミリ通信データの受信と、公衆回線へのファクシミリ通信データの送信を行う。ファクシミリ部４０１では、ファクシミリ機能である、指定された時間にファックス送信を行ったり、相手から指定パスワードの問い合わせで画像データを送信するなどハードディスク４０２にファクス用の画像を保存して処理を行う。これにより、一度リーダ部１から画像メモリー部３を介して、ファクシミリ部４０１、ファクシミリ用のハードディスク４０２へ画像を転送した後は、リーダ部１、画像メモリー部３をファクシミリ機能に使うことなしに、ファックス送信を行うことができる。
【００２３】
ネットワークインターフェース部４０３は外部とのデータ通信を行うインターフェース部であり、ローカルエリアネットワーク（以下、ＬＡＮ）、シリアルＩ／Ｆ、ＳＣＳＩＩ／Ｆ、プリンターのデータ入力用のセントロＩ／Ｆなどを持つ。インターネットへの接続はＬＡＮのＩ／Ｆを介しておきなう。このＩ／Ｆを介して、プリンター部、リーダ部の状態を外部コンピュータに通知したり、コンピュータの指示でリーダ部１で読み取った画像を外部コンピュータへ転送したりする。また、外部コンピュータからプリント画像データを受け取ったりする。
【００２４】
外部コンピュータとの通信は、汎用ＰＣ（４１０）からのジョブの受け付けやサーバー（４１１）への問合せが主である。外部コンピュータからネットワークインターフェース部４０３を介して通知されるプリントデータは専用のプリンタコードで記述されているため、フォーマッタ部４０４はそのコードを画像メモリー部３を介してプリンター部２で画像形成を行うラスターイメージデータに変換する。フォーマッタ部４０４はラスターイメージデータの展開をイメージメモリー部４０５に行う。イメージメモリー部は、このようにフォーマッタ部４０４がラスターイメージデータの展開するメモリーとして使用したり、また、リーダ部の画像をネットワークインターフェース部４０３を介して外部コンピュータに送る（画像スキャナー機能）場合に、画像メモリー部３から送られる画像データをイメージメモリー部に一度展開し、外部コンピュータに送るデータの形式に変換してネットワークインターフェース部４０３からデータを送出するような場合においても使用される。
【００２５】
コア部４０６は、ファクシミリ部４０１、ネットワークインターフェース部４０３、フォーマッタ部４０４、イメージメモリー部４０５、画像メモリー部３間それぞれのデータ転送を制御管理する。これにより、外部Ｉ／Ｆ処理部４に複数の画像出力部があっても、画像メモリー部３へ画像転送路が一つであっても、コア部４０６の管理のもと、排他制御、優先度制御され画像出力が行われる。
【００２６】
図５は本発明で使用される用紙である。用紙５０１の端にはμチップ５０２が埋め込まれており、このμチップに情報を持たす事が可能となっている。
【００２７】
次に図６を用いて本発明の複写機で用いられるＩＰアドレスの振り方を説明する。図６ａはＩｐｖ６のアドレスの構成を説明したものである。ＩＰアドレスはネットワークアドレスはプレフィックスされており、ホストアドレスにネットワークのインターフェースＩＤを振ることで成り立っている。
【００２８】
本複写機では、図６ｂに示す様に、ホストアドレスにおいては、上位４８ビットをＭＡＣアドレスを用い、下位１６ビットを００００となるべく設定が行われる。また、Ｉｐｖ６の機能の一つとして一つのネットワークＩ／Ｆにも多数のＩＰアドレスを持つことが可能であり、本実施例の複写機では下位１６ビットを００１０としたＩＰアドレスと００２０としたＩＰアドレスをも持ち、それぞれプリンタ用のアドレス、スキャナ用のアドレスとして持っている。
【００２９】
また、本特許では、画像用のアドレスとして下位１６ビットを０１００〜ｆｆｆｆまで用意してあり、画像に関してＩＰアドレスを割り当てる際にはこの領域に割り与えられる。
【００３０】
次に図７、図８、図９を用いて画像をＩＰアドレスとして登録し、その履歴を管理する手順。ならびに出力した用紙に印刷した画像に対応したＩＰアドレスを書き込む手順を説明する。なお本実施例ではこれら情報を本複写機で管理するが、外部のホストコンピュータ等で別途管理しても同様な効果は得られる。
【００３１】
まず図７を用いてホスト側からのプリント指令時にそのプリント指令した画像に新規でＩＰアドレスをふる、もしくは既存するＩＰアドレスに対応付けられた画像を更新する時の設定指示に関して説明する。
【００３２】
図７ａはホスト側においてプリントする時に表示されるドライバの表示の図である。７０２はＩＰアドレス新規取得用チェックボタンである。７０２上をクリックされると７０２にチェックが付く。７０２がチェックが付くと７０３のチェックが外れる様になっている。７０３は既存ＩＰ上書き用チェックボタンである。７０３が押されると詳細設定画面図７ｂに移行する。
【００３３】
図７ｂは既存ＩＰ上書き用設定画面である。７０４にすでに画像に振られているＩＰアドレスならびにそのＩＰアドレスに対応した画像が最終的に更新された日付が表示されている。７０４の項目の上に触れると、その項目の画像が選択状態となり、黒地に白文字表示となる。選択された項目の画像は、プレビュー画面７０７にプレビューが表示される。７０５はＯＫボタンであり、このボタンが押されると、図７ａの画面に戻る。この時７０３のチェックボタンがチェックされる。７０３がチェックされると７０２のチェックは外れる。７０６はキャンセルボタンである。７０６が押されると、処理はせずに図７０１の画面に戻る。
【００３４】
図８は本発明での画像に関してのＩＰアドレスならびに履歴の管理に関してのデータの説明の図である。まず、図８の例の様に、画像を割り当てたＩＰアドレスならびにそのＩＰアドレスの画像の履歴数が管理されている。この例では例えば１０００：：２４０：２６ｆｆ：ｆｅ４ｆ：０１００のアドレスの画像に関して履歴が３つと管理されている。また、そのアドレスの履歴分に関してそれぞれＩｄを割り当てファイル名と日付を管理している。ファイル名はＩＰアドレス＋履歴ＩＤとしている。この例では例えば１０００：：２４０：２６ｆｆ：ｆｅ４ｆ：０１００のアドレスの画像のＩｄ１は１０００：：２４０：２６ｆｆ：ｆｅ４ｆ：０１００１というファイル名で日付は２００３．１０．２５、Ｉｄ２は１０００：：２４０：２６ｆｆ：ｆｅ４ｆ：０１００２というファイル名で日付は２００３．１０．２６、Ｉｄ３は１０００：：２４０：２６ｆｆ：ｆｅ４ｆ：０１００３というファイル名で日付は２００３．１０．２８と管理されている。これらの管理によって、本複写機では、画像とＩＰアドレスと履歴の関係を管理している。
【００３５】
次に図９を用いて図７の画面と連動した本複写機の処理を説明する。この処理は図７で説明したプリント設定画面で設定した後、プリント命令を本複写機に送った後の処理のフロチャートである。プリント命令には図７での設定に関しての情報もあわせて送られて来ている。
【００３６】
ステップＳ９０１ではまず通常にプリントを行う。実際にはここでは給紙→転写→定着を終えて図１のμチップ書き込み部８０に到達する前までの動作を行う。そしてステップＳ９０２に進み、新規ＩＰアドレス取得が選択されたか否かが判定される。これは、プリント命令が本複写機に送られた際に、図７ａにおいて７０２がチェックされていた場合に新規ＩＰアドレス取得が選択されたという事になる。ステップＳ９０２で新規ＩＰアドレス取得が選択されていると判断した場合にはステップＳ９０３に進み、ステップＳ９０１でプリントした内容の画像をＨＤＤに保存する。ステップＳ９０３が終了するとステップＳ９０４に進みこの画像のＩＰアドレスを割り当てる。
【００３７】
この時画像のＩＰアドレスは図６を示すように下位が０ｘ０１００〜０ｘｆｆｆｆの範囲で、使われていないアドレスを判断して付けられる。ステップＳ９０４が終了するとステップＳ９０５に進み、この画像をリストに追加する。リストとは図８のリストであり、新規の場合は、ステップＳ９０４で割り当てたＩＰアドレス情報＋履歴数１、そして履歴ＩＤ１ならびにそのファイル名と日付が追加される。ステップＳ９０５が終了するとステップＳ９０６でプリントした用紙にμチップが載っていたか否かを判断する。ステップＳ９０６でμチップが載っていなかったと判断した場合には処理を終了する。ステップＳ９０６でμチップが載っていたと判断した場合にはステップＳ９０７に進み搭載されたμチップにステップＳ９０４で割り当てたＩＰアドレスを書き込み、処理を終了する。
【００３８】
次にステップＳ９０２で新規ＩＰ取得が選択されていなかった場合を説明する。ステップＳ９０２で新規ＩＰ取得が選択されていなかった場合、ステップＳ９０８に進み、既存ＩＰ画像の書換えが選択されているか否かが判断される。これは、プリント命令が本複写機に送られた際に、図７ａにおいて７０３がチェックされていた場合に既存ＩＰ画像書換えが選択されたという事になる。ステップＳ９０８で既存ＩＰ画像の書換えが選択されていないと判断された場合には処理を終了する。ステップＳ９０８で既存ＩＰ画像の書換えが選択されていると判断された場合にはステップＳ９０９に進み、ステップＳ９０１でプリントした内容の画像をＨＤＤに保存する。ステップＳ９０９が終了するとステップＳ９１０に進みこの画像をリストに追加する。
【００３９】
リストとは図８のリストであり、既存ＩＰ画像置き換えの場合は、図７ｂで選択された画像におけるＩＰアドレスの履歴数を（元履歴数＋１）とし、そして履歴ＩＤ（元履歴数＋１）ならびにそのファイル名と日付が追加される。ステップＳ９１０が終了するとステップＳ９１１でプリントした用紙にμチップが載っていたか否かを判断する。ステップＳ９１１でμチップが載っていなかったと判断した場合には処理を終了する。ステップＳ９１１でμチップが載っていたと判断した場合にはステップＳ９１２に進み搭載されたμチップに図７ｂで選択された画像に対応しているＩＰアドレスを書き込み、処理を終了する。
【００４０】
次に、今度は図１０，図１１、図１２を用いて、図７、図８、図９で説明した様にＩＰアドレスならびに履歴を管理した物を、図７、図８、図９で印刷した用紙をコピーする時にその履歴分も含めて出力を可能とする手順を説明する。
【００４１】
図１０は本発明の操作部の図である。１０００は操作部である。１００１は操作部画面であり、この画面からコピー機能のさまざまな情報を設定・表示する。１００１上では様々な設定が出来るがここでは履歴ボタン１００５についてのみ説明する。履歴ボタン１００５を押すと選択状態と非選択状態が切り替わる。黒地に白文字表示の場合は選択状態を示し、白地に黒文字状態の場合は非選択状態となる。このボタンが選択されている状態でコピーが始まると履歴の印刷が可能となる。１００２は数字ボタンである。
【００４２】
この１００２の数字ボタンは主に複写枚数等を設定する時に使われる。１００４はスタートボタンである。この１００４はユーザがコピーを行う時に押されるボタンである。このボタンが押されると本複写機はコピーを開始する。
【００４３】
次に図１１を用いて履歴スキャンに関しての操作部での設定を説明する。図１１ａは図１０の１００５の履歴を選択状態にした状態でコピー開始された際に、原稿にμチップが載っている時に、そのμチップにかかれているアドレスに問い合わせた時に履歴の情報があった時に表示される画面である。詳細なシーケンスについては図１２を使って説明するためここでは省略する。図１１の画面は図１０の１００１上に表示される。
【００４４】
１１０１は履歴情報が表示されており、Ｉｄ上を触れると黒地に白文字状態で選択状態となる。選択状態となった画像のプレビューは１１０２上に表示される。１１０３はＯＫボタンであり、このボタンが押されると画像のスキャンは行わず、１１０１で選択した履歴の画像がプリントされる事となり画面を閉じる。１１０４は通常コピーボタンであり、このボタンが押されると履歴が選択されていた時でも通常のコピーに切り替える。
【００４５】
図１１ｂは履歴が無かった時やμチップが載っていなかった時に表示される画面である。この場合はコピーは通常にコピー動作が行われ、この画面が表示される。１１０５のＯＫキーが押されると元の画面に戻る。
【００４６】
次に図１２を用いて履歴プリントを行い時のシーケンスを説明する。このシーケンスは図１０の１００４のスタートボタンが押された時に開始する。まず、ステップＳ１２０１では図１０の１００５の履歴ボタンが選択状態か否かを判断する。ステップＳ１２０１で選択状態でないと判断した場合にはステップＳ１２１０に進み通常コピーを行い処理を終了する。ステップＳ１２０１で履歴が選択状態あると判断された場合にはステップＳ１２０２に進み、図１の２１０のμチップ読み取り手段によりμチップとの通信をトライする事でμチップが原稿台上に載っているか否かを判断する。ステップ１２０２でμチップが無いと判断された場合にはステップＳ１２０６に進み、通常コピーをする事をユーザーに通知し（図１１ｂ）の表示を行いステップＳ１２１０に進み通常コピーを行い処理を終了する。ステップＳ１２０２でμチップが有ると判断された場合にはステップＳ１２０３に進み、μチップに記憶されているＩＰアドレスを読み取る。
【００４７】
ステップＳ１２０３が終了するとステップＳ１２０４に進み、ステップＳ１２０３で読み取ったＩＰアドレスに情報を問い合わせる。問合せがあったアドレスからは図８のデータによりそのＩＰアドレスに関する情報が帰って来る。この問合せ先はこの複写機の場合も他のホストの場合も考えられる。ステップＳ１２０４が終了するとステップＳ１２０５に進み、そのＩＰアドレスと対応付けられた画像の履歴情報が存在するかを判定する。ステップＳ１２０５で履歴情報が存在しないと判断された場合にはステップＳ１２０６に進み図１１ｂを表示し、ステップＳ１２１０に進み通常コピーを行い、処理を終了する。
【００４８】
ステップＳ１２０５で履歴が有りと判断された場合にはステップＳ１２０７に進み、図１１ａの履歴選択画面を表示する。ステップＳ１２０７が終了すると、ステップＳ１２０８に進み、図１１ａの１１０３のＯＫボタンが押されたか否かを判断する。ステップＳ１２０８でＯＫボタンが押されていないと判断された場合は、ステップＳ１２０９に進み、図１１ａの１１０４の通常コピーボタンが押されたか否かを判断する。ステップＳ１２０９で通常コピーボタンが押されていないと判断された場合にはステップＳ１２０８に戻り、１１０３もしくは１１０４が押されるまで処理を繰り返す。ステップＳ１２０９で通常コピーボタンが押されたと判断された場合にはステップＳ１２１０に進み、通常コピーを行い処理を終了する。
【００４９】
ステップＳ１２０８でＯＫボタン１１０３を押したと判断した場合には、ステップＳ１２１１に進み図１１０１で選択状態となっている履歴の画像を問い合わせて取得する。ステップＳ１２１１が終了するとステップＳ１２１１に進みステップＳ１２１１で取得した画像のプリントを行い処理を終了する。
【００５０】
以上説明したように本実施例では、プリントした際の元画像を保存し、アドレスを割り当てることで後にアドレスを参照した際に、コピーではなくその元画像をプリント出来る複写機において、そのファイルの更新を可能とし、さらに履歴も管理する事で、その原稿の最新画像や履歴をプリントが可能となり便利な複写機を提供出来る。
【図面の簡単な説明】
【００５１】
【図１】断面図。
【図２】ブロック図。
【図３】画像メモリ部。
【図４】外部Ｉ／Ｆ処理部。
【図５】本発明で用いられる用紙。
【図６】本発明の複写機で用いられるＩＰアドレス。
【図７】本発明でのホストからの画像プリントの画面。
【図８】本発明の複写機が持つデータテーブル。
【図９】本発明のプリント時の処理のフロチャート。
【図１０】本発明の操作部。
【図１１】履歴プリント利用時の複写機の操作部。
【図１２】本発明のコピーモード時の処理のフロチャート。
【図１】
2006217028.tif 000003
【図２】
2006217028.tif 000004
【図３】
2006217028.tif 000005
【図４】
2006217028.tif 000006
【図５】
2006217028.tif 000007
【図６】
2006217028.tif 000008
【図７】
2006217028.tif 000009
【図８】
2006217028.tif 000010
【図９】
2006217028.tif 000011
【図１０】
2006217028.tif 000012
【図１１】
2006217028.tif 000013
【図１２】
2006217028.tif 000014